(57)【特許請求の範囲】
【請求項１】
ルアー本体の両側部であって体長方向の中心部より前の位置にネジ穴と、前記ネジ穴に連続し後部に配向したスイベル固定溝を備え、
前記ネジ穴にスイベルの一方の環を介してネジが組み込まれ、前記スイベル固定溝にスイベルが固定され、
前記スイベルの他方の環にブレードが取り付けられており、
前記ルアー本体の移動とともに、前記ブレードが回転及び／又は振動し、前記ルアー本体と接触して接触音を発生することを特徴とする釣用ルアー。
【請求項２】
前記スイベル固定溝はネジ穴に向かって傾斜する傾斜溝である請求項１に記載の釣用ルアー。
【請求項３】
前記ブレードは平板状である請求項１又は２に記載の釣用ルアー。
【請求項４】
前記ルアー本体の内部の腹部に相当する部分には固定錘が配置されている請求項１〜３のいずれかに記載の釣用ルアー。
【請求項５】
前記ルアー本体の内部の空洞には可動錘が配置されている請求項１〜４のいずれか１項に記載の釣用ルアー。
【請求項６】
前記ブレードとルアー本体との接触音は、ラインを引いたとき及びラインの引きを止めてルアーを沈めたときに発生する請求項１〜５のいずれか１項に記載の釣用ルアー。
【請求項７】
前記ブレードは金属プレートである請求項１〜６のいずれか１項に記載の釣用ルアー。
【請求項８】
前記ルアー本体は、樹脂製、金属製及び木材製から選ばれる少なくとも一つの硬質材料である請求項１〜７のいずれか１項に記載の釣用ルアー。
【請求項９】
前記ブレードはルアーに不規則で変幻自在な動きを与える請求項１〜８のいずれか１項に記載の釣用ルアー。
【発明の詳細な説明】
【技術分野】
【０００１】
本発明は、改良された釣用ルアーに関する。
【背景技術】
【０００２】
近年、木製やプラスチック製の釣用ルアー（疑似餌）を用いたルアーフィッシングが盛んに行われている。ルアーフィッシングでは、対象魚の種類等に応じて種々のルアーが使用されている。
【０００３】
上記ルアーにはハードルアーと呼ばれるものがあり、この中にはスプーン、スピナー、プラグ、ジグがある。プラグとしては、下記のものを例示できる（非特許文献１）。
（１）水面上に浮かべて使用するルアー（トップウォーターともいう）として、ペンシルベイト、スウィッシャー、ポッパー、ノイジー等
（２）リップ付きで水中で使用するミノー、クランクベイト等
（３）その他として、バイブレーション・プラグ等
本出願人は、特許文献１にはルアー本体の尾部に回転かつ上下動可能にブレードを取り付けたルアーを提案した。特許文献２にはルアー本体の側部にワイヤー状の固定具にブレードを回転可能に取り付けることが提案されている。
【先行技術文献】
【特許文献】
【０００４】
【特許文献１】特許第４７０７７７３号公報
【特許文献２】特開２０１２−２４４９６７号公報
【非特許文献】
【０００５】
【非特許文献１】橋口彰一郎ら編著、「新・ルアーフィッシング入門」、２００４年７月２８日、学習研究社、２８〜３９頁
【発明の概要】
【発明が解決しようとする課題】
【０００６】
しかし、前記従来のルアーは、ブレードが回転してもルアー本体と接触することは無く、接触音も発生せず、ブラックバス等の大型魚を釣る場合のルアーとしては、さらに改良することが求められていた。
【０００７】
本発明は、前記従来の問題を解決するため、ブレードが回転してルアー本体と接触して接触音を発生し、一般魚にも好適であるが、ブラックバス等の大型魚を釣るのにとくに好適な釣用ルアーを提供する。
【課題を解決するための手段】
【０００８】
本発明の釣用ルアーは、ルアー本体の両側部であって体長方向の中心部より前の位置にネジ穴と、前記ネジ穴に連続し後部に配向したスイベル固定溝を備え、前記ネジ穴にスイベルの一方の環を介してネジが組み込まれ、前記スイベル固定溝にスイベルが固定され、前記スイベルの他方の環にブレードが取り付けられており、前記ルアー本体の移動とともに、前記ブレードが回転及び／又は振動し、前記ルアー本体と接触して接触音を発生することを特徴とする。
【発明の効果】
【０００９】
本発明の釣用ルアーは、スイベルの一方の環を介してネジ穴にネジが組み込まれ、スイベル固定溝にスイベルが固定され、スイベルの他方の環にブレードが取り付けられているため、スイベルの位置は斜め方向に固定されており、水流抵抗を受けるとスイベルの他方の環を中心としてブレードが回転及び／又は振動し、ルアー本体と接触して接触音を発生する。すなわち、スイベルは固定軸となり、スイベルの先端のブレードのみが回転及び／又は振動するため、例えばカリカリとした小刻みで高音のクラッキングサウンドを発生する。これにより、魚に対して刺激を与え、魚釣り効果を高めることができる。この効果は小型魚〜中型魚の一般魚にも好適であり、ブラックバス等の大型魚を釣るのにとくに好適なルアーを提供できる。
【図面の簡単な説明】
【００１０】
【図１】図１は本発明における一実施例のルアーの正面図である。
【図２】図２は、同ルアーの平面図である。
【図３】図３は、同ルアーのブレードが回転する部分の拡大図である。
【図４】図４は、同ルアーの本体断面図である。
【発明を実施するための形態】
【００１１】
本発明の釣用ルアーは、ルアー本体の両側部であって体長方向の中心部より前の位置にネジ穴を設け、このネジ穴に連続し後部に配向するスイベル固定溝を設ける。スイベルの一方の環を介してネジ穴にネジを組み込み、スイベル固定溝にスイベルを斜め方向に固定する。スイベルの他方の環にはブレードを取り付ける。ブレードはスイベルの他方の環に環を介して取り付けても良い。このようにすることで、ルアー本体を移動させると、ブレードが回転及び／又は振動し、ルアー本体と接触して接触音を発生する。前記において、ルアー本体とはルアーのボディをいう。
【００１２】
スイベル固定溝はネジ穴に向かって傾斜する傾斜溝であっても良い。ネジ穴側が深い傾斜溝であると、スイベルは傾斜した状態で固定され、スイベル先端のブレードはルアー本体と接触しやすくなる。
【００１３】
ブレードは平板状、末広がり状、湾曲など任意の形状とすることができる。中でも平板状は小刻みで高音のクラッキングサウンドを発生しやすいことから好ましい。ブレードは金属プレートであるのが好ましい。金属プレートであればルアー本体と接触したときに高音の接触音を発生しやすい。ブレードの厚さは０．１ｍｍ〜１ｍｍ程度が好ましい。
【００１４】
ルアー本体の内部の腹部に相当する部分には固定錘が配置されていてもよい。固定錘が配置されていると、ルアーの姿勢が安定であり水流抵抗を腹部に受けやすい。またラインの引きを止めてルアーを沈めたときにルアーは立った状態となり、引き上げる際にフックが障害物に引っかかりにくくなる。
【００１５】
ルアー本体の内部の空洞には可動錘が配置されていてもよい。ルアー本体の内部の空洞には可動錘が入っていると、水流抵抗を受けて揺れたときに可動錘も一緒に動き、ルアーの上下方向の動きは加速され、より複雑な動きをする。これにより、魚に対して刺激を与え、魚釣り効果を高めることができる。
【００１６】
ブレードとルアー本体との接触音は、ラインを引いたとき及びラインの引きを止めてルアーを沈めたときに発生する。これは水流抵抗によりブレードが回転及び／又は振動してルアー本体と接触するためである。
【００１７】
ルアー本体は、樹脂製、金属製及び木材製から選ばれる少なくとも一つの硬質材料が好ましい。いわゆる硬質ルアーであれば、ブレードが接触して高音の接触音を発生しやすい。金属プレート製ブレードと硬質材料製ルアー本体の組み合わせの場合は最も高音を発生しやすく好ましい。
【００１８】
本発明のルアーは、ブレードの不規則な回転によりルアーに不規則で変幻自在な動きを与えることができる。このような動きは魚の闘争心を沸かせて釣り効果を高めることができる。
【００１９】
本発明のルアーは、ハードルアーと呼ばれるルアーであれば、どのようなものにも適用できる。例えばスプーン、スピナー、プラグ、ジグ等であり、プラグとしては、ペンシルベイト、スウィッシャー、ポッパー、ノイジー、ミノー、クランクベイト、メタルジグ等に適用できる。ルアー本体（ボディ）の材料は、樹脂製、金属製、木材製等いかなるものであってもよい。
【００２０】
以下図面によって説明する。以下の説明において、同一符号は同一部品又は物体を示す。図１は本発明における一実施例のルアー２０の正面図である。このルアー２０はペンシルベイトである。このルアー２０は、ルアー本体１の両側部であって体長方向の中心部より前の位置、例えば目から胸の部分の位置にネジ穴と、前記ネジ穴に連続し後部に配向したスイベル固定溝１６が形成されている。スイベル固定溝１６の配向角度は水平線を基準として約３０゜とした。スイベル固定溝１６はネジ穴に向かって約３０°傾斜する傾斜溝とした。ネジ穴にはスイベル３の一方の環を介してネジ２が組み込まれ、スイベル固定溝１６にスイベル３が固定されている。スイベル３の他方の環４にスプリットリング５を介してブレード６が取り付けられている。ルアー本体１の移動とともに、ブレード６は回転及び／又は振動し、ルアー本体１と接触して接触音を発生する。スイベル３の両端に固定されている環はともに自由回転可能に支持されているため、水流抵抗によりブレード６は回転及び／又は振動し、ルアー本体１と接触して接触音を発生する。
【００２１】
ルアー本体１の上部には固定環７とスプリットリング８があり、ここにラインを接続する。また、腹部にはフックハンガー９が固定されており、スプリットリング１０を介してフロントフック１１が取り付けられている。フロントフック１１は、ダブルフックでもトリプルフックでもよい。尾部にはフックハンガー１２がルアー本体１に固定され、このフックハンガー１２にスプリットリング１３を介してリアフック１４が取り付けられている。リアフック１４もダブルフックでもトリプルフックでもよい。尾部にはラバー糸１５を取り付けても良い。ラバー糸１５の長さは任意に選択できる。このような基本形のルアーに、ブレード６を取り付けたのが本発明の実施例品である。
【００２２】
図２は同ルアー２０を上から見た平面図である。スイベル３ａ，３ｂは固定溝に沿って傾斜して固定されているため、ブレード６ａ，６ｂも傾斜して取り付けられている。この状態で水流抵抗を受けるとブレード６ａ，６ｂは回転及び／又は振動し、ルアー本体１と接触して接触音を発生する。なお、４ａ，４ｂはスイベル３ａ，３ｂの他方の環、５ａ，５ｂはスプリットリングである。
【００２３】
図３は同ルアーのブレード６が回転する部分の拡大図である。すでに説明したように、ネジ穴に連続し後部に配向したスイベル固定溝１６，１７が形成されており、ネジ穴にはスイベル３の一方の環を介して前記ネジ穴にネジ２が組み込まれ、スイベル固定溝１６，１７にスイベル３が固定されている。スイベル３の他方の環４にスプリットリング５を介してブレード６が取り付けられている。水流抵抗を受けると、ブレード６は回転及び／又は振動し、ルアー本体１と接触して接触音を発生する。ブレード６がルアー本体１と接触する頻度はかなり高く、１日数時間の釣り動作によりルアー本体１の塗装が剥げ落ちるほどである。
【００２４】
図４は同ルアー２０の本体断面図である。ルアー本体１の内部の腹部に相当する部分には固定錘２１，２２が配置されている。これによりルアーの姿勢が安定であり水流抵抗を腹部に受けやすい。またラインの引きを止めてルアーを沈めたときにルアーは立った状態となり、引き上げる際にフックが障害物に引っかかりにくくなる。また、ルアー本体１の内部の空洞には可動錘２３が配置されている。この可動錘２３は６個の球で構成され、枠２４で構成される空洞の中で前後に動く。このようにルアー本体の内部の空洞には可動錘２３が入っていると、水流抵抗を受けて揺れたときに可動錘２３も一緒に動き、ルアーの上下方向の動きは加速され、より複雑な動きをする。これにより、魚に対して刺激を与え、魚釣り効果を高めることができる。
【実施例】
【００２５】
以下、実施例を用いて本発明をさらに具体例に説明する。なお、本発明は下記の実施例に限定されるものではない。
【００２６】
（実施例１）
図１〜図３に示すブレード６を作成した。このブレード６の材質は、厚さ０．５ｍｍのニッケルメッキを施した真鍮からなる金属プレートとした。大きさは、もっとも幅の広い部分が１１ｍｍ、長さは１４ｍｍ、取り付け穴の直径は２ｍｍとした。スイベル３の長さは２ｍｍ，直径２ｍｍであり、両端の環を含めた長さは１０ｍｍであった、ネジ２は直径１．５ｍｍ、長さ５ｍｍであった。プレート６を図１〜図３に示すように長さ６６ｍｍのルアー本体１に取り付け、実際にラインで引いて水中で使用した。この結果、驚くべきことに、ザリガニが泳ぐようなカリカリとした小刻みで高音のクラッキングサウンドを発生した。また、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。その結果、高いブラックバスの釣り成果があった。
【００２７】
次にラインを引くのを止め、ルアーを沈めた。このときもブレードとルアー本体との接触音が発生した。ルアーを沈めるだけで接触音が発生するものは従来には見られなかった。これは水流抵抗によりブレードが回転及び／又は振動してルアー本体と接触するためと思われる。そして、ルアーを沈める際の接触音によっても釣り成果が出た。また、ルアーを沈めたときフロントフック１１はスプリットリング１０を起点に横に折れ、ルアーは立った状態で水の底に止まり、引き上げる際にフックが障害物に引っかかりにくいことも確認できた。これはルアーが沈む際に水流抵抗によりブレードが回転及び／又は振動してルアー本体の姿勢を安定させるからと思われる。すなわち、ブレードは姿勢制御に寄与している。
【産業上の利用可能性】
【００２８】
本発明のルアーは、ハードルアーと呼ばれるルアーであればどのようなものにも適用できる。例えばスプーン、スピナー、プラグ、ジグ等であり、プラグとしては、ペンシルベイト、スウィッシャー、ポッパー、ノイジー、ミノー、クランクベイト、メタルジグ等に適用できる。ルアーの材料は、樹脂製、金属製、木材製等いかなるものであってもよい。
【符号の説明】
【００２９】
１  ルアー本体
２  ネジ
３，３ａ，３ｂ  スイベル
４，４ａ，４ｂ  環
５，５ａ，５ｂ，８，１０，１３  スプリットリング
６，６ａ，６ｂ  ブレード
７  固定環
９，１２  フックハンガー
１１  フロントフック
１４  リアフック
１５  ラバー糸
１６，１７  スイベル固定溝
２０  ルアー
２１，２２  固定錘
２３  可動錘
２４  枠
【図１】
0006322491.tif 000002
【図２】
0006322491.tif 000003
【図３】
0006322491.tif 000004
【図４】
0006322491.tif 000005